(57)【要約】【課題】携帯無線端末内の発熱部品からの熱を拡散させ、筐体表面の温度上昇を防ぐ携帯無線端末を提供する。【解決手段】上筐体２０と下筐体３０とをスライドさせる連結部４０と、上筐体２０又は下筐体３０の内部に設けられ無線回路を実装した上回路基板５１と、連結部４０と上回路基板５１との間に設けられ連結部４０と上回路基板５１とに接している熱拡散部材８０とを備え、この熱拡散部材８０は、連結部４０よりも熱伝導率が大きい材料で形成されている。【選択図】図５
2008294043.tif 000002
【特許請求の範囲】
【請求項１】
第１筐体と第２筐体とをスライドさせるためのレール部と、
前記第１筐体又は第２筐体の内部に設けられ、無線回路を実装した基板と、
前記レール部と前記基板との間に設けられ、前記レール部と前記基板とに接している熱拡散部材と、
を備えた携帯無線端末。
【請求項２】
前記熱拡散部材は、前記レール部よりも熱伝導率が大きい請求項１に記載の携帯無線端末機。
【請求項３】
前記熱拡散部材と前記基板との間に熱伝導スペーサを設けた請求項１又は２に記載の携帯無線端末。
【請求項４】
前記熱拡散部材は、前記無線回路と前記レール部との間に設置されている請求項１乃至３のいずれか１項に記載の携帯無線端末。
【請求項５】
前記熱拡散部材は、前記レール部の全面に設けられている請求項１乃至４のいずれか１項に記載の携帯無線端末。
【請求項６】
液晶表示部を設けた第１筐体と、
キー操作部を設けた第２筐体と、
前記第１筐体と第２筐体との間をスライド可能に連結したレール部と、
前記液晶表示部と前記レール部との間に設けられ、無線回路を有する基板と、
前記レール部と前記基板との間に設けられた熱拡散部材と、
を備えた携帯無線端末。
【発明の詳細な説明】
【技術分野】
【０００１】
本発明は、第１筐体と第２筐体との間をスライドさせることができるとともに、無線回路を実装した携帯無線端末に関する。
【背景技術】
【０００２】
従来、箱状の上筐体と下筐体とを連結部によってスライド可能に連結させた携帯端末が知られている（例えば、特許文献１参照）。この携帯端末は、上筐体の上面に表示部および上操作部を有するとともに、下筐体の上面に下操作部を有しており、レール及びガイドからなる連結部によってスライド可能に連結されている。
【０００３】
ところで、このようなスライド式のものを含む各種タイプの携帯端末にあっては、色々な機能を付加して多機能化させているものも知られている。例えば、ＲＦタグなどのＩＣタグを読み取らせるためのタグリーダとして機能させるため、通信手段などを備えたものなども知られている。通常、このようなタグリーダとして機能する通信手段には、無線回路などを備えているが、この無線回路からは、他の電子部品に比べてより多くのジュール熱を発生させていることが多い。
【特許文献１】特開２００５−２４４６７９号公報
【発明の開示】
【発明が解決しようとする課題】
【０００４】
従って、発熱性の高い電子部品からのジュール熱が筐体の表面まで伝播されると、筐体の表面温度までもが高くなる虞がある。一方、このような携帯端末で通話を行う際には、受話（レシーバ）部近傍の筐体表面が使用者の耳付近や頬などの皮膚に直接触れる場合が多い。このような事情から、発熱量の多い電子部品を備えた携帯端末では、特に使用者の顔に近い筐体の表面温度が加熱されて皮膚の温度に比べて高い温度であると、不快感をもたらすだけでなく、火傷を招く虞もある。特に、近年の携帯端末は、薄型化が進んでおり、この問題は深刻なものとなってきている。
【０００５】
本発明は、上記事情に鑑みてなされたもので、筐体内の発熱部品からの熱を拡散させ、筐体表面の温度上昇を防ぐことができる小型・薄型のスライド式の携帯無線端末を提供することを目的とする。
【課題を解決するための手段】
【０００６】
本発明の携帯無線端末は、第１筐体と第２筐体とをスライドさせるためのレール部と、前記第１筐体又は第２筐体の内部に設けられ、無線回路を実装した基板と、前記レール部と前記基板との間に設けられ、前記レール部と前記基板とに接している熱拡散部材と、を備えたものである。
この構成により、熱拡散部材が基板に蓄積されたジュール熱をレール部側へ効率的に熱転送させて拡散させることができるので、筐体表面へのジュール熱の伝播を阻止することができるようになり、筐体表面の温度上昇を防ぐことが可能となる。
【０００７】
また、前記熱拡散部材は、前記レール部よりも熱伝導率が大きい構成としてもよい。
この構成により、無線回路より発生するジュール熱をレール部側へより効率よく拡散することが可能となる。
【０００８】
また、前記熱拡散部材と前記基板との間に熱伝導スペーサを設けてもよい。
この構成により、無線回路より発生するジュール熱をレール部側へより効率よく拡散すると共に、携帯端末が落下した際の基板に対する衝撃を緩和することができる。
【０００９】
また、前記熱拡散部材が、前記無線回路と前記レール部との間に設置されている構成としてもよい。
この構成により、無線回路より発生するジュール熱をレール部側へより効率よく拡散することができる。
【００１０】
また、前記熱拡散部材が、前記レール部の全面に設けられている構成とすることができる。
この構成により、無線回路より発生するジュール熱をレール部側へより効率よく拡散することができる。
【００１１】
また、本発明の携帯無線端末は、液晶表示部を設けた第１筐体と、キー操作部を設けた第２筐体と、前記第１筐体と第２筐体との間をスライド可能に連結したレール部と、前記液晶表示部と前記レール部との間に設けられ、無線回路を有する基板と、前記レール部と前記基板との間に設けられた熱拡散部材と、を備えることができる。
この構成により、使用者が通話の際に耳を当てる液晶表示側の熱を第２筐体側に拡散することができるので、使用者が通話中に不快感を覚えたり、火傷を負うことがなくなる。
【発明の効果】
【００１２】
本発明によれば、薄型のままでも筐体表面の温度上昇を防ぐことが可能となるスライド型の携帯無線端末を提供できる。
【発明を実施するための最良の形態】
【００１３】
以下、本発明の実施の形態について、添付図面を参照しながら詳細に説明する。
図１および図２に示すように、本発明の実施形態に係る携帯無線端末１０は、矩形箱状をした第１筐体である上筐体２０と、同様に矩形箱状をした第２筐体である下筐体３０と、上筐体２０および下筐体３０をほぼ完全に重なり合う位置までスライド可能に連結する連結部（レール部を構成する）４０（図３又は図４、詳細には図６参照）と、連結部４０に設けた熱伝導スペーサ（ヒートクッション）７０および熱拡散部材８０と、を有している。
【００１４】
上筐体２０は、側端部（前端）２０Ｆの厚さＨＵ１（図４（Ｂ）参照）を反対側端部（後端）２０Ｒの厚さＨＵ２（図４（Ｂ）参照）より厚くした段差形状となっている。
【００１５】
上筐体２０には、上面に、液晶表示部用の表示窓２３、ナビ操作部２４、レシーバ用切欠き２５、および自分撮りカメラ用穴２６等が設けられている。なお、図３〜図５に示すように、ナビ操作部２４の下側にはキーシート２４ａが設けられており、キーシート２４ａの下側にはキーシート２４ａを支持する支持板２４ｂが設けられている。一方、下筐体３０には、キー操作部である主操作部３３等を上面に、電池カバー３５等を下面（底面）に設けている。
【００１６】
図５に示すように、上筐体２０は、この上筐体２０の全面を占める大きさの平面的な枠状に形成したアッパーカバー２１と、上部が開口した箱状のアッパーケース２２とを有しており、アッパーケース２２の開口を囲うようにして上端部どうしを一致させるような状態でアッパーカバー２１が取付けられている。
【００１７】
アッパーケース２２は、アッパーカバー２１よりも短尺に形成されている。具体的には、携帯無線端末１０の下筐体３０と完全に重なり合った状態（以下、「閉状態」とよぶ）から解放されて一部開いた状態（以下、「開状態」とよぶ）のときに、下面が露出する程度の大きさを有している。
【００１８】
図５に示すように、下筐体３０は、この下筐体３０の全面を占める大きさの矩形箱状のロアケース３２と、ロアケース３２の一部である後端部付近のみを覆うロアカバー３１とを有している。
【００１９】
このうち、ロアカバー３１には、複数のキー３３ａを有する主操作部３３（図１参照）が操作可能な操作部用窓３４などを有している。図３〜図５に示すように、主操作部３３には、複数のキー３３ａのキーシート下側に３３ｂが設けられているとともに、キーシート３３ｂの下側には支持板３３ｃが設けられてキーシート３３ｂを支持している。一方、ロアケース３２は、側端部（後端）３０Ｒの厚さＨＬ１（図４（Ｂ）参照）を反対側端部（前端）３０Ｆの厚さＨＬ２より厚くした段差形状となっている。
【００２０】
また、図５において、ロアケース３２の両内側面には、スライド方向に沿って係合部を構成する図示外のガイド溝が設けられている。このガイド溝には、上筐体２０に設けられている図示外のガイド爪が常時係合しており、上下筐体２０、３０をスライド可能に支持している。
【００２１】
このように構成された本実施形態の携帯無線端末１０では、図２（Ａ）に示すように、上筐体２０と下筐体３０とが完全に重なった閉状態では、下筐体３０に設けられている主操作部３３は完全に隠れており、図１（Ａ）に示すように、上筐体２０および下筐体３０をスライドさせて伸張した開状態にすることにより現れて操作可能となる。
【００２２】
図３（Ｂ）及び図４（Ｂ）に示すように、上筐体２０のアッパーカバー２１とアッパーケース２２で形成される内部空間には、上筐体２０および下筐体３０をスライド可能に支持する連結部４０が取り付けられている。連結部４０は、レール部分を構成するスライドレール４１と、この下にスライド可能に連結したスライドベース４２とを備えているが、何れも熱伝導性のある金属で形成されている。
【００２３】
このうち、スライドレール４１は、図５に示すように、上筐体２０に取り付けられており、スライドレール４１の上面には第１回路基板である上回路基板５１が取付けられている。本実施形態のスライドレール４１は、ネジ４１ａによって上回路基板５１を介してアッパーカバー２１に締結されるのと同時に、ネジ４１ｂによって上回路基板５１に締結されている。さらに、このスライドレール４１には、熱伝導スペーサ７０及び熱拡散部材８０が取り付けられている。
【００２４】
また、スライドレール４１をスライド可能に支持するスライドベース４２は、下筐体３０に取り付けられており、スライドベース４２の下面には第２回路基板である下回路基板５２が取り付けられている。従って、連結部４０を構成するスライドレール４１およびスライドベース４２は、上回路基板５１および下回路基板５２によって挟まれる構造となる。
また、スライドレール４１は、例えば、ステンレス、マグネシウム、銅、またはこれらの合金等からなる金属で形成されている。
【００２５】
なお、特に、上回路基板５１には、例えば、ＲＦＩＤタグ用のリーダを構成する電子部品として、発熱性の高い無線回路（図略）を搭載しており、この無線回路から発生するジュール熱は、後述する熱拡散部材７０などを介して連結部４０へ効率的に熱転送できるように構成されている。
【００２６】
一方、図５に示すように、下筐体３０におけるロアカバー３１とロアケース３２との間には、連結部４０の一部を構成する前述したスライドベース４２が取付けられている。このスライドベース４２は、ネジ４２ａによってロアカバー３１とロアケース３２との間に固定されると共に、ネジ４２ｂによってロアケース３２に下回路基板５２と一体の状態で固定されている。
【００２７】
図５及び図８に示すように、熱伝導スペーサ７０は、上回路基板５１からの熱をスライドレール４１へ伝導させるものであり、熱伝導性が良好でしかもクッション性も有する材料で形成されている。本実施形態の熱伝導スペーサ７０は、上回路基板５１とスライドレール４１との間を一定に保持するため、所要の厚さを有するものであって、スライドレール４１の上回路基板５１に対向する面（図５では下面）の上下左右の４箇所（図７ではヒートクッション７１〜ヒートクッション７４）に固着されている。そのうちヒートクッション７１、７２（図５では右方の２つのもの）は、後述するシート状の熱拡散部材８０を介してスライドレール４１上に固着されている。また、ヒートクッション７３、７４（図５では左方の２つのもの）は、スライドレール４１の一面に直接取付けられており、これら４箇所の熱伝導スペーサ７０が上回路基板５１に直接接触している。
【００２８】
熱拡散部材８０は、携帯無線端末１０内部の発熱部品である無線回路からのジュール熱を拡散させることにより筐体表面の温度上昇を防ぐものであり、連結部４０よりも熱伝導率が大きい材料で形成されており、連結部４０と上回路基板５１との間に設けられている。本実施形態の熱拡散部材８０は、連結部４０のスライドレール４１において、上回路基板５１に対向する面（図５では下面）に貼り付けたシート状のグラファイト（グラファイトシート）で構成されている。この熱拡散部材８０を構成するグラファイトは、所謂石墨（または黒鉛）と呼ばれるものであって、炭素から成る六角板状結晶（六方晶系）の元素鉱物であり、シート面方向について非常に大きな熱伝導性（熱伝導率）を有している。
【００２９】
以上、説明したように、携帯無線端末１０によれば、図９に示すように、上回路基板５１に設置したＲＦＩＤリーダ用の無線回路から発生するジュール熱が、これを搭載している上回路基板５１に伝導し、さらにこの上回路基板５１と物理的に接触しているヒートクッション７１、７２及びヒートクッション７３、７４に伝播する。
【００３０】
このうち、このヒートクッション７１、７２は、スライドレール４１に貼り付けたシート状の熱拡散部材８０の一面に固着されているので、そのヒートクッション７１、７２に伝播してきた無線回路からのジュール熱は、熱拡散部材８０に伝導される。一方、この熱拡散部材８０では、速やかに、かつ、効率的に周囲に熱転送されて拡散される。その結果、その拡散された熱は、この熱拡散部材８０が取り付けてある金属性のスライドレール４１に直ちに伝播するので、無線回路からの熱を効果的にスライドレール４１に伝播させて放熱させることができる。
【００３１】
また、これと同時に、スライドレール４１に一面が固着されているヒートクッション７３、７４でも、その一面とは反対の面で接触する回路基板５１からの熱を伝導し、前述した一面からスライドレール４１へ逃がすことができる。
【００３２】
これにより、無線回路から発生するジュール熱が上筐体２０に伝播するのを阻止できるので、上回路基板５１から上筐体２０に伝播して上筐体２０の表面温度が上昇しこれに接触する操作者の耳や顔などが高温に触れて不快感をもたらす、といった不都合を回避できる。
また、スライド型の携帯端末に必須の構成であるスライドレールに効率よく熱を拡散することができるため、放熱用の金属板等を設ける必要もなく、小型・薄型のスライド式の携帯端末を実現することができる。
【００３３】
なお、本発明は上述した実施形態に何ら限定されるものではなく、その要旨を逸脱しない範囲において種々の形態で実施し得るものである。
即ち、本発明の熱拡散部材は、無線回路とレール部である連結部の間に直接設置されていてもよい。例えば、本実施形態のように無線回路が上回路基板５１に実装されている場合には、この無線回路に直接接触する状態でこの無線回路と連結部４０であるスライドレール４１との間に直接設置されていてもよい。また、無線回路が下回路基板５２に実装されていれば、この無線回路に直接接触する状態でこの無線回路と連結部４０であるスライドベース４２との間に直接設置されていてもよい。
また、熱拡散部材は、特にグラファイトシートに限られることはなく、スライドレールに効率よく熱を拡散させるため、スライドレールよりも熱伝導率が高い部材であればよい。
【００３４】
また、本発明の熱拡散部材は、レール部である連結部（スライドレール４１又はスライドベース４２）の全面に設置してあってもよい。
【００３５】
さらに、本実施形態では、発熱性の高い電子部品としてＲＦＩＤタグリーダ用などの無線回路からのジュール熱を拡散させるための手段として、熱拡散部材を設置しているが、この熱拡散部材は、例えばＦＥＴなどの各種の発熱部品などに対する熱拡散手段として用いてもよい。
【産業上の利用可能性】
【００３６】
以上のように、本発明によれば、基板側で発生する熱を熱拡散部材がレール部側へ効率的に転送させて拡散させることができるので、熱を発生する基板近くの筐体表面の温度上昇を防ぐことが可能であり、携帯電話機、ＰＤＡなどのようなスライド可能なタイプで無線回路を備えた小型電子機器などに適用するのに好適である。
【図面の簡単な説明】
【００３７】
【図１】（Ａ）は本発明の実施形態にかかる開状態の携帯無線端末を上方から見た斜視図、（Ｂ）は下方から見た斜視図である。
【図２】（Ａ）は本発明の実施形態にかかる閉状態の携帯無線端末を上方から見た斜視図、（Ｂ）は下方から見た斜視図である。
【図３】（Ａ）は開状態の携帯無線端末の平面図、（Ｂ）は図４（Ａ）中Ｂ−Ｂ位置の断面図である。
【図４】（Ａ）は閉状態の携帯無線端末の平面図、（Ｂ）は図３（Ａ）中Ｂ−Ｂ位置の断面図である。
【図５】上筐体および下筐体を下筐体側から見た分解斜視図である。
【図６】（Ａ）は閉状態の連結部を上方から見た斜視図、（Ｂ）は開状態の連結部を上方から見た斜視図である。
【図７】（Ａ）は閉状態の連結部を下方から見た斜視図、（Ｂ）は開状態の連結部を下方から見た斜視図である。
【図８】上、下筐体の係合状態を示すものであり、（Ａ）は図４のVIIIＡ-VIIIＡ線断面図、（Ｂ）は図３のVIIIＢ-VIIIＢ線断面図である。
【図９】本発明の実施形態にかかる携帯無線端末の熱拡散部材の作用を示す説明図である。
【符号の説明】
【００３８】
１０  携帯無線端末
２０  上筐体（第１筐体）
２３  液晶表示部用の表示窓
２４  ナビ操作部
３０  下筐体（第２筐体）
３３  主操作部３３
４０  連結部（レール部）
５１  上回路基板（回路基板）
５２  下回路基板
７０  熱伝導スペーサ（ヒートクッション）
８０  熱拡散部材
【図１】
2008294043.tif 000003
【図２】
2008294043.tif 000004
【図３】
2008294043.tif 000005
【図４】
2008294043.tif 000006
【図５】
2008294043.tif 000007
【図６】
2008294043.tif 000008
【図７】
2008294043.tif 000009
【図８】
2008294043.tif 000010
【図９】
2008294043.tif 000011